(57)【特許請求の範囲】
【請求項１】
ケーシングにおける分割した軸受装置、特に往復ピストン式機械のクランク軸・滑り軸受にして、
異なる硬さの材料からなる軸受ブロック（４）と軸受カバー（５）とを備え、
軸受ブロック（４）に対し取付可能に配置されかつ鉄材料より形成された軸受カバー（５）が、その取付面（７）上に突出して構成されかつ縁が角ばって先の尖った突部（６）を有し、これら突部が、軸受カバー（５）の最初の組込みに際し、力を用いて、軽金属より形成される軸受ブロック（４）の対向取付面（１０）内に押し込まれ、そして
軸受カバー（５）の取付面（７）に溝（８）が設けられている軸受装置において、
突部（６）の先端部分の断面が約５０°〜１１０°の角度αを有し、さらに
軸受カバー（５）の取付面（７）から突部先端までの高さ「Ｈ」が０．２５〜１．５ｍｍの間の値であり、
Ｒ＝０．１５〜０．３０ｍｍの半径でもって丸められた溝（８）がそれぞれの半径寸法「Ｒ」にて取付面（７）内にくぼませられて突部側面（６’、６”）に接続し、そして
溝（８）が、軸受ブロック（４）に突部（６）を押し込むとき排除される軸受ブロック（４）の材料の受容の用をなすことを特徴とする軸受装置。
【請求項２】
軸受カバー（５）における突部（６）が直線状刃様突部として２〜５ｍｍの間の間隔「Ａ」に選択されることを特徴とする、請求項１に記載の軸受装置。
【請求項３】
軸受カバー（５）における突部（６）が円弧状刃様突部として形成されていることを特徴とする、請求項１に記載の軸受装置。
【請求項４】
ねずみ鋳鉄より形成された軸受カバー（５）が、突部（６）を、アルミ合金より形成される軸受ブロック（４）の対向取付面（１０）内に押し込むとき、摺動嵌め合せ（１１）により軸受ブロック（４）に対し装着されることことを特徴とする、請求項１ないし３の１つに記載の軸受装置。
【請求項５】
軸受カバー（５）が、その突部（６）でもって、軸受ねじ継ぎ手および（または）プレス装置を用いて軸受ブロック（４）内に押し込まれることを特徴とする、請求項１ないし４の１つに記載の軸受装置。
【請求項６】
軸受ブロック（４）の対向取付面（１０）にて軸受カバー（５）の押し込むべき突部（６）の範囲に平たいかつ丸められた溝（９）が配置されていることを特徴とする、請求項１に記載の軸受装置。
【請求項７】
焼結材料より形成されかつねじ・貫通孔を具備する軸受カバー（５）が、貫通孔に対し同心に配置された円弧状突部を有することを特徴とする、請求項１に記載の軸受装置。
【請求項８】
軸受カバー（５）における突部（６）が切削によりまたは腐食により形成されることを特徴とする、請求項１ないし６の１つに記載の軸受装置。
【請求項９】
Ｖ型原動機の機械ケーシング（２）に適用することを特徴とする、請求項１ないし８の１つに記載の軸受装置。
【発明の詳細な説明】
【０００１】
（技術分野）
本発明は、請求項１の前提部に記載の、ケーシングにおける分割した軸受装置、特に往復ピストン式機械のクランク軸・滑り軸受に関する。これは、ドイツ特許公開第１９５３５４９７号公報より周知である。
【０００２】
（背景技術）
この周知の軸受装置では、軸受カバーにその取付面の範囲で設けられた突部が、この取付面の機械的最終加工を粗なものとすることにより生成される。この場合、分割面または取付面を軸受中心軸線に対し平行に線形フライス加工することにより生成された粗表面が有利に生じ、その縁が角ばった尖端部は、滑り軸受を取り付ける際軸受ブロックの対応する対向取付面に食い込むことになる。
【０００３】
このようにして取付面に突部を作られた軸受カバーは、破断分割により生成された取付面でもって与えられる形状拘束的かみ合いを達成することはないので、軸受カバーは横負荷に対し付加的に保証する必要がある。
【０００４】
本発明の課題は、改良された材料固定機能をもった軸受装置を提示することである。
【０００５】
（発明の開示）
本発明により構成された材料固定機能でもって、分割した軸受装置にて取付可能に配置された軸受カバーが有利に高い横力を受容することができ、これは例えばＶ型原動機の場合に特に有利である。
【０００６】
本発明の有利な構成が、従属請求項に記載されている。
【０００７】
（発明を実施するための最良の形態）
以下に、本発明を図に示す有利な実施例により説明する。
詳しくは図示しない往復ピストン式機械の機械ケーシング２における分割した軸受装置１は、特にクランク軸・滑り軸受３用に異なる硬さの材料からなる軸受ブロック４と軸受カバー５とを有し、その場合軸受ブロック４に対し取付可能に配置された軸受カバー５は、突部６を介して横負荷に対し形状拘束的に軸受ブロック４と確実に協同作用する。
【０００８】
特にクランク軸・滑り軸受３の分割した軸受装置１にて高負荷可能な材料固定機能を達成するため、鉄材料より形成された軸受カバー５がその取付面７上に突出して構成された刃様突部６を有し、そしてさらに溝８、９が軸受カバー５と軸受ブロック４の対応する取付面７、１０に設けられ、前記溝は、軸受カバー５の最初の組込みに際し力を用いて軽金属より形成される軸受ブロック４の対向取付面１０内に押し込まれる突部６により押し込みの際排除される軸受ブロック４の材料の受容の用をなすのである。
【０００９】
軸受装置１はねずみ鋳鉄よりなる軸受カバー５を有し、その場合突部６の先端部分の断面が約５０°〜１１０°の角度αを有し、さらに軸受カバー５の取付面７から突部先端までの高さ「Ｈ」が０．２５〜０．５ｍｍの間の値であり、その場合Ｒ＝０．１５〜０．３０ｍｍの半径でもって丸められた溝８がそれぞれの半径寸法Ｒにて取付面７内にくぼませられて突部側面６’、６”に接続している。隣接する溝８は、軸受ブロック４内に押し込みの際排除される材料の受容の用をなす。軸受カバー５における突部６は、直線状刃様突部として２〜５ｍｍの間の間隔「Ａ」に選択されている。
【００１０】
図１から軸受カバー５の取付面７に認められる突部６に対しては、４０〜６０ｍｍの軸受直径範囲に対し図２に示す突部６のプロフイールが適当であることが実証された。その場合、突部６の先端部分の断面の角度α＝６０°そして軸受カバー５の取付面７から突部先端までの高さＨ＝０．７５ｍｍが選択され、そしてそれぞれ丸められた溝８の半径が０．２５〜０．３ｍｍに選択されている。さらに、突部６先端の間隔は同じにまたは不同に選択することができる。
【００１１】
本発明による手段でもって、軸受カバー５を軸受ブロック４に突部６を介して最初に組み込むときの確実な材料固定機能のために、突部６でもって対応する凹部（図示せず）が刻まれ、これが将来の組み込みまたは取外しに際し、軸受カバー５の軸受ブロック４への位置正確な固定の用をなす。
【００１２】
さらに、軸受カバー５の軸受ブロック４に対する正確な付設を達成するため、次のことを提案する。すなわち、突部６をアルミ合金より形成される軸受ブロック４の対向取付面１０内に押し込むとき、軸受カバー５を、例えば軸受カバー５の軸受ブロック４との嵌め合せ側面１１のような摺動嵌め合せにより、軸受ブロック４に対し装着するのである。これにより、軸受ブロック４に突部６に対応する凹部を正確にかつ隙間なく形成することが保証される。
【００１３】
突部６を軸受ブロック４の対向取付面１０内に押し込むとき与えられる材料排除を、取付面７と対向取付面１０とのその他の平面的接合に悪影響なしに保証するため、丸めた溝８を突部６に隣接して付設し、その場合排除された材料の有利な流れのために、溝８は突部側面６’、６”に直接移行する。
【００１４】
図１に示すように、軸受カバー５の溝８の代わりに、軸受ブロック４の対向取付面１０にて軸受カバー５の押し込むべき突部６の範囲に、平たいかつ丸められた溝９を配置することができる。これらの溝９は、対向取付面１０からのその凹みに関し突部６の取付面７から突部先端までのそれぞれの高さＨに合わせて選択されており、これは直線状におよび（または）円弧状に形成した突部６に対し、材料固定機能のため充分な凹部を達成するためである。さらに、材料排除が平らな取付面７と対向取付面１０との範囲にて行われないことを保証するために、両種の溝８、９を組み合わせることも可能である。
【００１５】
特に嵌め合せ側面１１を介して、しかし図示しないセットピン、セットスリーブ、ねじ中心合せセットカラーを介しても可能な突部６の押し込みは、１つには次のように、すなわち軸受カバー５がその突部６でもって軸受ねじ締めにより軸受ブロック内に押し込まれるようにして行うことができる。さらに、軸受カバー５の最初の組み込みのとき、軸受カバー５をプレス装置を用いて軸受ブロック４に押し込み、そして必要な場合部分的な予備押し込みに続いて軸受ねじ締めにより完全な押し込みを遂行することが可能である。
【００１６】
軸受カバーの突部６は、切削式にまたは腐食により形成することができる。
軸受カバー５の図示しない別の材料変形例として、この軸受カバーが焼結材料より形成されかつねじ・貫通孔を具備し、その場合貫焼結材料の製作と関連して貫通孔に対し同心に配置された円弧状突部を構成し、これら突部が軸受カバー５の取付面７上に突出するようにすることができる。
【００１７】
異なる硬さの材料からなる軸受ブロック４と軸受カバー５との間の本発明による形状拘束は、特に９０°のＶ角度でかつ駆動装置から軸受カバー５へ周知の高い横力をもったＶ型原動機または内燃機関の機械ケーシング２に有利に適用される。
【図面の簡単な説明】
【図１】  軸受ブロックより分離して示されかつ本発明による突部を具備する軸受カバーの斜視図である。
【図２】    突部の部分横断面図である。
【図１】
0004288001.tif 000002
【図２】
0004288001.tif 000003